(57)【特許請求の範囲】
【請求項１】
マトリクス駆動される単位表示パネルが複数配置されてなる全体画面を備える画像表示装置の駆動方法であって、
画像表示装置の全体画面の画像データを含む駆動信号がそれぞれの単位表示パネルに対応して分割され、
前記分割された駆動信号の周波数が、入力された前記駆動信号に対する前記単位表示パネルの画素の即応性に応じて変調され、
前記分割された駆動信号の各々が前記それぞれの単位表示パネルに互いに同期しながら供給され、
前記それぞれの単位表示パネルが同時に駆動される
ことを特徴とする画像表示装置の駆動方法。
【請求項２】
信号供給手段によって、駆動回路から供給される前記駆動信号が蓄積されるとともに前記単位表示パネル毎に前記駆動信号が分割される
ことを特徴とする請求項１記載の画像表示装置の駆動方法。
【請求項３】
マトリクス駆動される単位表示パネルが複数配置されてなる全体画面を備える画像表示装置であって、
一の信号供給手段と各単位表示パネルが個別に接続され、
前記信号供給手段が、前記全体画面の画像データを含む駆動信号をそれぞれの単位表示パネルに対応して分割し、かつ、前記分割された駆動信号の周波数を入力された前記駆動信号に対する前記単位表示パネルの画素の即応性に応じて変調し、前記分割された駆動信号を前記それぞれの単位表示パネルに互いに同期させて供給し、前記分割された駆動信号により前記それぞれの単位表示パネルを同時に駆動させる
ことを特徴とする画像表示装置。
【請求項４】
前記信号供給手段は、駆動回路から供給される前記駆動信号を蓄積すると共に前記単位表示パネル毎に前記駆動信号を分割する信号処理手段を有する
ことを特徴とする請求項３記載の画像表示装置。
【請求項５】
前記信号供給手段は、前記分割された駆動信号の周波数を入力された前記駆動信号に対する前記単位表示パネルの画素の即応性に応じて変調する信号変調手段を、前記単位表示パネル毎に備える
ことを特徴とする請求項３記載の画像表示装置。
【請求項６】
前記単位表示パネル毎に設けられた各信号変調手段は、互いに同期しながら駆動する
ことを特徴とする請求項５記載の画像表示装置。
【請求項７】
前記単位表示パネルには、前記駆動信号を伝達して画素を駆動させるためのデータ信号線及びアドレス信号線が水平方向及び垂直方向に形成されている
ことを特徴とする請求項４記載の画像表示装置。
【請求項８】
前記信号処理手段はフレームバッファーである
ことを特徴とする請求項４記載の画像表示装置。
【請求項９】
前記単位表示パネルは、パッシブマトリクス方式若しくはアクティブマトリクス方式で駆動される
ことを特徴とする請求項３記載の画像表示装置。
【請求項１０】
前記駆動信号は、データ信号又はアドレス信号である
ことを特徴とする請求項４記載の画像表示装置。
【請求項１１】
前記配線は、前記単位表示パネルの裏面に取り出された状態で前記信号供給手段と接続される
ことを特徴とする請求項７記載の画像表示装置。
【請求項１２】
前記単位表示パネルは、発光素子を配置して形成される
ことを特徴とする請求項３記載の画像表示装置。
【請求項１３】
前記発光素子は、発光ダイオードであることを特徴とする請求項１２記載の画像表示装置。
【請求項１４】
前記分割された駆動信号の周波数は、前記入力された駆動信号に対する前記単位表示パネルの画素の即応性が高い場合、前記信号変調手段によって前記入力された駆動信号の周波数よりも高周波側に変調される
ことを特徴とする請求項１３記載の画像表示装置。
【請求項１５】
前記単位表示パネルは、液晶パネルである
ことを特徴とする請求項３記載の画像表示装置。
【請求項１６】
前記分割された駆動信号の周波数は、前記入力された駆動信号に対する前記単位表示パネルの画素の即応性が低い場合、前記信号変調手段によって前記入力された駆動信号の周波数よりも低周波側に変調される
ことを特徴とする請求項１５記載の画像表示装置。
【請求項１７】
前記単位表示パネルの裏面には、前記信号供給手段と接続される接続端子が形成される
ことを特徴とする請求項３記載の画像表示装置。
【請求項１８】
前記接続端子は、前記単位表示パネルを貫通するように形成される導電路を介して前記配線に接続される
ことを特徴とする請求項１７記載の画像表示装置。
【請求項１９】
前記導電路はコンタクトホールである
ことを特徴とする請求項１８記載の画像表示装置。
【請求項２０】
前記コンタクトホールには導電性材料が充填される
ことを特徴とする請求項１９記載の画像表示装置。
【請求項２１】
前記接続端子は、蒸着法若しくはスパッタリングにより形成される
ことを特徴とする請求項１７記載の画像表示装置。
【発明の詳細な説明】
【０００１】
【発明の属する技術分野】
本発明は、画像表示装置の駆動方法及び画像表示装置に関する。更に詳しくは、単位表示パネルを配置して形成される画像表示装置の駆動方法及び画像表示装置に関する。
【０００２】
【従来の技術】
画像表示装置としては様々のものが知られており、それらの薄型化、画質の向上及び製造プロセスには目覚しい進歩が見られる。例えば、液晶ディスプレイや発光ダイオードディスプレイの如きマトリクス駆動される画像表示装置では、アクティブマトリクス方式やパッシブマトリクス方式により駆動される。アクティブマトリクス方式では、画像表示装置の垂直水平方向に駆動電極が配設され、これら駆動電極に選択的に駆動信号が供給される。また、各画素には、スイッチング素子と付加容量からなる電荷保持回路が設けられている。
また、パッシブマトリクス方式では、画像表示装置の垂直水平方向に駆動電極が配設され、これら駆動電極に選択的に駆動信号が供給される。このとき、垂直水平方向の駆動電極に共に駆動信号が供給された画素が駆動される。従って、パッシブマトリクス方式は、アクティブマトリクス方式に比べて簡単な構造で各画素を駆動することができる。
【０００３】
上記パッシブマトリクス方式とアクティブマトリクス方式による画像表示装置の駆動方法を用いて、大画面の画像表示装置においても、画面全体のフレーム毎に一括して供給される駆動信号により駆動電極が順次走査され、各画素が時分割駆動される。
【０００４】
【発明が解決しようとする課題】
ところで、ＣＲＴのように蛍光体に電子線を当て、０．１秒程度発光を保持できるような画像表示装置であれば問題ないが、ＬＥＤディスプレイの場合、入力された駆動信号に対する発光ダイオードの即応性が高いため、発光を保持することにより画像表示装置の輝度を高めることが非常に難しいものとなっており、アクティブマトリクス方式のように各画素に電荷保持回路を設けた場合においても、十分な輝度が得られていない。例えば、水平方向のアドレス信号線が５２５本で毎秒３０フレーム（１秒間に３０回画面を書き換える）のインターレース方式で、水平走査周波数が１５．７５ＭＨｚ、垂直走査周波数が６０ＨｚのＮＴＳＣ（Ｎａｔｉｏｎａｌ  Ｔｅｌｅｖｉｓｉｏｎ  Ｓｔａｎｄａｒｄ  Ｃｏｍｍｉｔｔｅｅ）の規格に基づくアドレス信号はインターレス方式でも１／３０秒程度の垂直走査をしており、水平方向の画素数が２５６個でそれぞれの画素が３色のサブ画素により構成される場合の１サブ画素の点灯時間を算出すると、１フレーム当り１／（２５６×３０×３）＝１／２３０４０ｓｅｃしか１サブ画素当たりで発光しない。特に、発光ダイオードは、入力信号に対する即応性が高いため、パッシブマトリクス方式の駆動方法で線順次若しくは点順次で発光ダイオードを点灯させた場合、各発光ダイオードの発光時間が短く、画像表示装置全体の輝度の低下を招く。特に、大画面の画像表示装置では、輝度の低下が大きくなる。
【０００５】
また、ＬＣＤディスプレイの場合は、発光を保持することもできるが、画素の高速切り替えを行う場合には、液晶の即応性を犠牲にすることになる。従って、液晶の即応性が下がると、荷電してから液晶の配向の切り替えまでの時間がかかり、結局、画像を切り替える際の高速応答性を損なうことになる。
【０００６】
従って、画像表示装置全体のフレーム毎に一括して供給される駆動信号により駆動電極が順次走査される画像表示装置の駆動方法では、高画質を実現することが困難となる。特に、大画面の画像表装置ほど駆動電極に接続される画素数が増大することにより、これら画素が駆動される時間が短くなり、各画素を十分な時間駆動することが難しくなる。従って、ＬＥＤディスプレイの輝度の不足やＬＣＤディスプレイの輝度むらが生じることとなり、画像表示装置全体の画質の低下に繋がる。
【０００７】
よって、本発明は上述の問題に鑑み、複数のマトリクス駆動される単位表示パネルからなる画像表示装置において、単位表示パネルを構成する画素の制御性を高め高画質の画像表示を行うことができる画像表示装置の駆動方法及び画像表示装置を提供することを目的とする。
【０００８】
【課題を解決するための手段】
本発明の画像表示装置の駆動方法は、マトリクス駆動される単位表示パネルが複数配置されてなる全体画面を備える画像表示装置の駆動方法であって、画像表示装置の全体画面の画像データを含む駆動信号がそれぞれの単位表示パネルに対応して分割され、前記分割された駆動信号の周波数が入力された前記駆動信号に対する前記単位表示パネルの画素の即応性に応じて変調され、前記分割された駆動信号の各々が前記それぞれの単位表示パネルに互いに同期しながら供給され、前記それぞれの単位表示パネルが同時に駆動されることを特徴とする。画像表示装置を複数の単位表示パネルにより形成し、これら単位表示パネルを同期させながら駆動することにより画像表示装置全体で画像表示を行うことができる。特に、ＬＥＤディスプレイでは、各画素を構成する発光ダイオードの発光時間を長くすることができる。
【０００９】
また、本発明の画像表示装置は、マトリクス駆動される単位表示パネルが複数配置されてなる全体画面を備える画像表示装置であって、一の信号供給手段と各単位表示パネルが個別に接続され、前記信号供給手段が、前記全体画面の画像データを含む駆動信号をそれぞれの単位表示パネルに対応して分割し、かつ、前記分割された駆動信号の周波数を入力された前記駆動信号に対する前記単位表示パネルの画素の即応性に応じて変調し、前記分割された駆動信号を前記それぞれの単位表示パネルに互いに同期させて供給し、前記分割された駆動信号により前記それぞれの単位表示パネルを同時に駆動させることを特徴とする。各単位表示パネルには、信号供給手段から個別に駆動信号が供給される。また、信号供給手段に単位表示パネル毎に設けられた信号変調手段により駆動信号を変調されることにより、画素の構成に応じて適切な周波数の駆動信号が供給される。
【００１０】
【発明の実施の形態】
本発明は、単位表示パネルを配置して形成される画像表示装置であれば如何なる画像表示装置にも適用であり、例えば、有機エレクトロルミネッセンス（ＥＬ）を用いた画像表示装置、ＦＥＤ、ＰＤＰなどの画像表示装置に用いることができる。特に、本発明はマトリクス駆動されるＬＥＤ画像表示装置、ＬＣＤ画像表示装置について好適である。
【００１１】
先ず、本発明の画像表示装置の駆動方法について、図１を参照しながら詳細に説明する。図１は本発明の画像表示装置の駆動方法のブロックダイアグラムである。先ず、画像表示装置の全体画面の画像データを含む駆動信号が駆動回路１から信号供給手段２に供給される。信号供給手段２は、信号処理手段３と信号変調手段４から構成され、画面全体のフレーム毎の画像データを含む駆動信号が、信号処理手段３に供給される。ここで、本発明の画像表示装置は単位表示パネル５を配置して形成されており、信号処理手段３に供給された駆動信号は、これら単位表示パネル５毎の駆動信号に分割され、信号処理手段３に蓄積される。単位表示パネル５毎に分割された駆動信号は、それぞれ信号変調手段４に供給された後、各単位表示パネル５に供給され、各単位表示パネル５が同時に駆動されることにより、画像表示装置全体で画像が表示される。
【００１２】
信号処理手段３は、画像表示装置を駆動する駆動信号を順次蓄積するフレームバッファーであり、例えば、データの読み込みと書き込みが可能なメモリーセルを複数搭載したメモリーアレイを用いることができる。フレームバッファーは、駆動信号を蓄積する機能とこれら駆動信号をその供給先である単位表示パネル５毎に分割する機能を備えている。
【００１３】
信号変調手段４は、フレームバッファーで単位表示パネル５毎に分割された駆動信号を各単位表示パネル５に供給する機能を有する信号発生器であり、単位表示パネル５毎に設けられる。ここで、信号発生器は、フレームバッファーから供給される駆動信号の周波数を当該駆動信号の供給先である単位表示パネル５の構成に合わせて変調する機能を有する。例えば、画像表示装置が、駆動信号に対して即応性の高い発光ダイオードを用いたＬＥＤディスプレイの場合には、駆動信号を高周波側に変調し、ＬＥＤディスプレイの輝度を高めることができる。また、ＬＣＤディスプレイの場合には、駆動信号を低周波側に変調することにより、画素を構成する液晶が追従することができる駆動信号を各単位表示パネル５に供給する。更に、信号発生器を同期させながら駆動信号を各単位表示パネル５に供給することにより、画像表示装置全体で調和のとれた画像を表示することができる。
【００１４】
更に、図２を参照しながら本発明の画像表示装置の駆動方法及び画像表示装置について詳細に説明する。図２は、本発明の画像表示装置の構成を示すブロック図であり、本発明の画像表示装置の駆動方法は、各単位表示パネルがパッシブマトリクス方式で駆動される画像表示装置に特に好適であり、駆動信号であるデータ信号とアドレス信号がそれぞれデータ信号駆動回路とアドレス信号駆動回路から供給される。
【００１５】
先ず、データ信号駆動回路２２から入力されるデータ信号が一旦フレームバッファー２４に蓄積された後、蓄積されたデータ信号が各単位表示パネル２１に送信されるデータ信号にフレームバッファー２４で分割され、再度フレームバッファー２４に収納される。続いて、単位表示パネル２１毎に分割されたデータ信号が、各単位表示パネル２１に対応して個別に接続される信号発生器２６から各単位表示パネル２１に送信される。また、同様にアドレス信号駆動回路２３からフレームバッファー２５に入力されたアドレス信号も一旦フレームバッファー２５に蓄積された後、蓄積されたアドレス信号が各単位表示パネル２１に送信されるアドレス信号にフレームバッファー２５で分割され、再度フレームバッファー２５に収納される。続いて、単位表示パネル２１毎に分割されたアドレス信号が、各単位表示パネル２１に対応して個別に接続される信号発生器２７から各単位表示パネル２１に送信される。このとき、データ信号、アドレス信号は、信号発生器２６、２７により当該画像表示装置の画素の構成に適切な周波数の信号に変換され、単位表示パネル２１に送信される。
【００１６】
本発明の画像表示装置は、単位表示パネル２１が配線用基板上にマトリクス状に配置され、配線用基板のｘ方向にｎ枚、ｙ方向にｍ枚全体でｍ×ｎ＝ｍｎ枚配置されている。尚、各単位表示パネル２１を識別するために各単位表示パネル２１をＰｍ，ｎ（ｍ、ｎは自然数）と表記する。つまり、ｍｎが大きいほど配置される単位表示パネル２１数が増加し、画像表示装置のサイズが大きくなる。更に、信号供給手段２８にデータ信号駆動回路２２、信号供給手段２９にアドレス信号駆動回路２３がそれぞれ接続される。データ信号駆動回路２２は、信号供給手段２８を構成する信号処理手段であるフレームバッファー２４と信号変調手段である信号発生器２６を介して各単位表示パネル２１のデータ信号線に接続される。また、アドレス信号駆動回路２３は、信号処理手段であるフレームバッファー２５と信号変調手段である信号発生器２７を介して各単位表示パネル２１のアドレス信号線に接続される。
【００１７】
データ信号駆動回路２２は、データ信号を入力する駆動回路であり、電圧を供給するアドレス信号駆動回路２３と合わせて、パッシブマトリクス方式で単位表示パネル２１を駆動させるための駆動回路である。これら、駆動回路によりマトリクス状に配置された単位表示パネル２１に対し駆動信号を送信し、各単位表示パネル２１が駆動される。
【００１８】
フレームバッファー２４、２５にはそれぞれ信号発生器２６、２７が接続されており、フレームバッファー２４には信号発生器２６として、ＳＸ１１、・・・、ＳＸｍ１、・・・、ＳＸ１ｍ、・・・ＳＸ１ｎがそれぞれ独立に接続されている。また、フレームバッファー２５には信号発生器２７としてＳＹ１１、・・・、ＳＹ１ｎ、・・・、ＳＹｍ１、・・・、ＳＹｍｎが接続されている。これら信号発生器２６，２７はそれぞれ個別に単位表示パネル２１に接続され、具体的に接続される組み合わせを示すと、（Ｐ１１，ＳＸ１１，ＳＹ１１）、・・・、（Ｐｍ１，ＳＸｍ１，ＳＹｍ１）、・・・、（Ｐ１ｎ，ＳＸ１ｍ，ＳＹ１ｍ）、・・・、（Ｐｍｎ，ＳＸｍｎ，ＳＹｍｎ）のように単位表示パネル２１に対応する信号発生器２６，２７が個別に単位表示パネル２１毎に接続される。通常のパッシブマトリクス方式のように、データ信号線とアドレス信号線がマトリクス状に配設された配線用基板上に単位表示パネルが配置され、垂直水平方向に隣接する単位表示パネルで共通のデータ信号線とアドレス信号線により、画像表示装置全体の駆動信号が一括して送信される場合と異なり、単位表示パネルを互いに電気的に接続することなく、対応する信号発生器２６，２７と単位表示パネルが個別に電気的に接続されることになる。また、フレームバッファー２４、２５は、データの読み込みと書き込みが可能なメモリーセルを複数搭載したメモリーアレイであり、例えば、ＤＲＡＭ、ＳＲＡＭ等を用いることができる。
【００１９】
各単位表示パネル２１には、垂直水平方向にデータ信号線とアドレス信号線がマトリクス上に配設されおり、これら信号線に接続された各画素がデータ信号とアドレス信号により専線順次若しくは点順次により駆動される。
【００２０】
続いて、本発明の画像表示装置及び画像表示装置について、具体的に説明する。図３は、パッシブマトリクス方式で駆動されるＬＥＤディスプレイを構成する単位表示パネルの平面構造を示す構造図であり、図３（ａ）は発光面（表面）の構造図であり、図３（ｂ）は裏面の構造図である。
【００２１】
発光ダイオードはユニット基板３２上に配置され、単位表示パネル３１の発光面（表面）の垂直水平方向にデータ信号線３３ａ、アドレス信号線３４ａが図示しない絶縁層を介してマトリクス状に配設されている。また、発光ダイオード（図示せず）は、データ信号線３３ａとアドレス信号線３４ａの交差部にそのｐ側電極とｎ側電極をそれぞれデータ信号線３３ａとアドレス信号線３４ａに接続されるように配置される。
【００２２】
更に、単位表示パネル３１の発光面（表面）と反対側の裏面には、データ信号線３３ａと接続される接続端子３３ｂ、アドレス信号線３４ａと接続される接続端子３４ｂが配設されている。接続端子３３ｂと接続端子３４ｂは、それぞれユニット基板３２のｘ方向とｙ方向の端部に、配置先である配線用基板に設けられた配線に合わせて形成されている。ユニット基板３２は、例えばガラス基板や、合成樹脂又は絶縁層で被覆された金属基板、或いはシリコン基板等の半導体製造には汎用な基板であり、データ信号線やアドレス信号線が求められる精度で形成可能な基板であればどのような基板であっても良い。
【００２３】
図４は単位表示パネルの断面構造図である。配線４５ａは、単位表示パネル３１の表面に形成されるデータ信号線３３ａ若しくはアドレス信号線３４ａであり、接続端子４５ｂは、単位表示パネル３１の裏面に形成される接続端子３３ｂ若しくは３４ｂである。これら配線４５ａと接続端子４５ｂは、導電路であるコンタクトホール４６を介して電気的に接続される。コンタクトホール４６は、ユニット基板３２を貫通するように設けられ、導電性材料を充填して配線４５ａと接続端子４５ｂの電気的な接続を図るものであり、導電性材料としては、例えば、導電性を有する液状ペーストを用いることができる。配線４５ａ及び接続端子４５ｂは、導電性の優れた金属材料層や半導体材料層と金属材料層を組み合わせる等により形成され、フォトリソグラフィーなどの手法を用いることにより所望の配線幅、配線間隔になるよう形成される。また、接続端子４５ｂは、蒸着法やスパッタリングにより形成することもできる。コンタクトホール４６は、配線４５ａ、接続端子４５ｂを形成する前に予めコンタクトホールを形成しておき、当該コンタクトホール内に導電ペーストを充填することにより形成される。
【００２４】
図５は、単位表示パネル３１の発光面（表面）の要部のレイアウトを示す図であり、図５では垂直水平方向に２画素分ずつの要部を示している。単位表示パネル３１では、ユニット基板３２の主面上に水平方向に延在された複数本のアドレス信号線ＡＤＤ０、ＡＤＤ１が形成され、さらに図示しない層間絶縁膜を介して垂直方向に延在されたデータ信号線ＤＬＲ０〜ＤＬＢ１が形成されており、各発光ダイオードはパッシブマトリクス方式で駆動される。ここで、単位表示パネル３１では、赤色発光ダイオード、緑色発光ダイオード及び青色発光ダイオードの３色のダイオードにより１画素が構成されることから、以下の説明では、それぞれの色に発光する発光ダイオード毎に接続されるデータ信号線３３ａをＤＬＲ０〜ＤＬＢ１と分けて表記する。また、アドレス信号線３４ａも画素毎に分けてＡＤＤ０、ＡＤＤ１と表記する。これらアドレス信号線ＡＤＤ０、ＡＤＤ１及びデータ信号線ＤＬＲ０〜ＤＬＢ１の交差部の近傍にはそれぞれ発光ダイオードが配置される。アドレス信号線ＡＤＤ０、ＡＤＤ１は、水平方向に延在されており、各画素当り１本のアドレス信号線が通過する。従って、単位表示パネル３１に形成され水平方向に隣接する画素同士では共通のアドレス信号線が選択的に用いられる。また、データ信号線ＤＩＲ０〜ＤＬＢ１は、アドレス信号線と同様に、導電性の優れた金属材料や半導体材料と金属材料の組み合わせ等により形成される。これらデータ信号線ＤＬＲ０〜ＤＬＢ１は垂直方向に延長されおり、各画素当り発光ダイオードの数に応じて３本の信号線が使用される。例えば、図中左上の画素の発光ダイオードは、赤色発光ダイオードＤＲ００、緑色発光ダイオードＤＧ００及び青色発光ダイオードＤＢ００からなり、データ信号線ＤＬＲ０〜ＤＬＢ０も発光色毎に設けられている。垂直方向に隣接する画素の同じ発光色のダイオードの間では共通のデータ信号線ＤＬＲ０〜ＤＬＢ１が利用される。
【００２５】
単位表示パネル３１には、発光ダイオードがマトリクス状に配列して形成され、所要の画像信号（映像信号即ち動画用信号を含む。以下同様。）に応じた発光が行われる。発光ダイオードは、例えば、青色及び緑色の発光ダイオード用としてサファイア基板上に成長された窒化ガリウム系のダブルへテロ構造多層結晶を用いることができ、赤色の発光ダイオード用として砒化ガリウム基板上に成長された砒化アルミニウムガリウム又は燐化インジウムアルミニウムガリウム系のダブルへテロ構造多層結晶を用いることができる。発光ダイオードは互いに波長を異ならせた３つの発光素子の組からなる画素を構成するが、異なる波長は赤、緑、青に限らず、他の色の組であっても良い。
【００２６】
各画素内において、水平方向に赤色の発光ダイオードＤＲ００、ＤＲ０１、ＤＲ１０、ＤＲ１１、次いで緑色の発光ダイオードＤＧ００、ＤＧ０１、ＤＧ１０、ＤＧ１１、次いで青色の発光ダイオードＤＢ００、ＤＢ０１、ＤＢ１０、ＤＢ１１が並んでいる。例えば、図中左上の画素では、赤色発光ダイオードＤＲ００、緑色発光ダイオードＤＧ００、及び青色発光ダイオードＤＢ００の順に発光ダイオードが配列されており、これら３つの発光ダイオードが１つの画素の組を構成する。
【００２７】
ここで、各発光ダイオードは、例えばそれぞれ略正方形の形状を有し、非パッケージ状態のまま或いは微小パッケージ状態のまま実装されるチップ構造を有している。図５のレイアウト図では、発光ダイオードの詳細な層構造については図示しないが、それぞれ発光ダイオードの平面形状は略正方形であり、その略正方形の発光ダイオードチップを実装することにより発光ダイオードのマトリクス状の配列が構成されている。各発光ダイオードの位置は、アドレス信号線ＡＤＤ０、ＡＤＤ１とデータ信号線ＤＬＲ０〜ＤＬＢ１の交差位置に対応した位置になっており、各発光ダイオードはアドレス信号線に接続した電極パッド５１を介して電気的にアドレス信号線に接続され、同様に、データ信号線に接続した電極パッド５２を介して電気的にデータ信号線に接続される。電極パッド５１は垂直方向に延在する小さい帯状領域であり、電極パッド５２は水平方向に延在する小さい帯状領域である。各発光ダイオードはこれら電極パッド５１、５２を介して電気的にアドレス信号線及びデータ信号線に接続され駆動される。
【００２８】
微小サイズのまま実装される各発光ダイオードは、素子形成基板上に形成され、その後チップ毎に分離されて非パッケージ状態又は微小パッケージ状態を以って実装されるものである。ここで、非パッケージ状態とは、樹脂形成などのダイオードチップの外側を覆うような処理を施していない状態を指す。また、微小パッケージ状態とは薄い肉厚の樹脂などに被覆された状態であるが、通常のパッケージサイズよりも小さいサイズ（例えば１ｍｍ以下程度のもの）に収まっている状態を指す。本実施形態の画像表示装置に用いられる発光ダイオードはパッケージがない分又はパッケージが微小な分だけ微細なサイズでユニット基板２上に実装される。
【００２９】
図６に緑色発光ダイオード、青色発光ダイオードに適用な素子の一例としての発光素子の構造を示す。図６の（ａ）が断面図であり、図６の（ｂ）が平面図である。この発光素子はＧａＮ系の発光ダイオードであり、例えばサファイア基板上に結晶成長される素子である。このようなＧａＮ系の発光ダイオードでは、基板を透過するレーザ照射によってレーザアブレーションが生じ、ＧａＮの窒素が気化する現象にともなってサファイア基板とＧａＮ系の成長層の間の界面で膜剥がれが生じ、素子分離を容易なものにできる特徴を有している。
【００３０】
まず、その構造については、ＧａＮ系半導体層からなる下地成長層６１上に選択成長された六角錐形状のＧａＮ層６２が形成されている。なお、下地成長層６１上には図示しない絶縁膜が存在し、六角錐形状のＧａＮ層６２はその絶縁膜を開口した部分にＭＯＣＶＤ法などによって形成される。このＧａＮ層６２は、成長時に使用されるサファイア基板の主面をＣ面とした場合にＳ面（１−１０１面）で覆われたピラミッド型の成長層であり、シリコンをドープさせた領域である。このＧａＮ層６２の傾斜したＳ面の部分はダブルへテロ構造のクラッドとして機能する。ＧａＮ層６２の傾斜したＳ面を覆うように活性層であるＩｎＧａＮ層６３が形成されており、その外側にマグネシウムドープのＧａＮ層６４が形成される。このマグネシウムドープのＧａＮ層６４もクラッドとして機能する。
【００３１】
このような発光ダイオードには、ｐ電極６５とｎ電極６６が形成される。ｐ電極６５はマグネシウムドープのＧａＮ層６４上に形成されるＮｉ／Ｐｔ／ＡｕまたはＮｉ（Ｐｄ）／Ｐｔ／Ａｕなどの金属材料を蒸着して形成される。ｎ電極６６は前述の図示しない絶縁膜を開口した部分でＴｉ／Ａｌ／Ｐｔ／Ａｕなどの金属材料を蒸着して形成される。なお、下地成長層６１の裏面側からｎ電極取り出しを行う場合は、ｎ電極６６の形成は下地成長層６１の表面側には不要となる。
【００３２】
このような構造のＧａＮ系の発光ダイオードは、青色発光も可能な素子であって、特にレーザアブレーションよって比較的簡単にサファイア基板から剥離することができ、レーザビームを選択的に照射することで選択的な剥離が実現される。なお、ＧａＮ系の発光ダイオードとしては、平板上や帯状に活性層が形成される構造であっても良く、上端部にＣ面が形成された角錐台構造のものであっても良い。また、他の窒化物系発光素子や化合物半導体素子などであっても良い。
【００３３】
続いて、図７、図８を参照しながら上述の発光素子を樹脂で被覆して形成された状態でユニット基板に実装される樹脂形成チップについて説明する。図７に示すように、樹脂形成チップ７４は略平板上でその主たる面が略正方形状とされる。この樹脂形成チップ７４の形状は樹脂７３を固めて形成された形状であり、具体的には各発光素子７２を含むように未硬化の樹脂を全面に塗布し、これを硬化した後で縁の部分をダイシング等で切断することで得られる形状である。
【００３４】
略平板状の樹脂７３の表面側と裏面側にはそれぞれ電極パッド７６，７７が形成される。これら電極パッド７６，７７の形成は全面に電極パッド７６，７７の材料となる金属層や多結晶シリコン層などの導電層を形成し、フォトリソグラフィー技術により所要の電極形状にパターンニングすることで形成される。これら電極パッド７６，７７は発光素子７２のｐ電極とｎ電極にそれぞれ接続するように形成される。
【００３５】
ここで電極パッド７６，７７は樹脂形成チップ７４の表面側と裏面側にそれぞれ形成されているが、一方の面に両方の電極パッドを形成することも可能である。また、図８に示すように、電極パッド７６，７７の位置が平板上ずれているのは、最終的な配線形成時に上側からコンタクトをとっても重ならないようにするためである。電極パッド７６，７７の形状も正方形に限定されず他の形状としても良い。
【００３６】
このような樹脂形成チップを構成することで、発光素子７２の周りが樹脂７３で被覆され平坦化されることにより精度良く電極パッド７６，７７を形成できるとともに発光素子７２に比べて広い領域に電極パッド７６，７７を延在でき、実装時の取り扱いが容易になる。また、比較的大き目のサイズの電極パッド７６，７７を利用した配線を行うことで、配線不良が未然に防止される。
【００３７】
上述のように構成される単位表示パネル３１を、配線用基板にマトリクス状に配置して本例の画像表示装置が形成される。各単位表示パネル３１は発光素子を駆動させる駆動回路に接続された信号供給手段とそれぞれ個別に接続され、駆動される。従って、配線用基板にマトリクス状に配設されるデータ信号線、アドレス信号線を、各単位表示パネル間で共通のデータ信号線、アドレス信号線として利用することなく発光素子を駆動することができる。よって、隣接して配置される単位表示パネル３１間を互いに接続するための煩雑な配線及び接続端子を単位表示パネル毎に形成する必要がない。更に、これら単位表示パネル３１を互いに接続するために配線用基板に煩雑な配線を形成する必要もない。このとき、信号供給手段と各単位表示パネル３１を電気的に接続する配線は、例えば、多層構造の配線用基板から配線を取り出し、各単位表示パネルの裏面に取り出された接続端子と電気的接続を行えば良い。また、発光素子からの発せられる光を遮らないように光透過性を有する材料を用いて配線用基板上に配線を形成しておくこともできる。
【００３８】
図９は、パッシブマトリクス方式で駆動される単位表示パネルの回路図である。発光ダイオード８７を駆動させるためのデータ信号線８８とアドレス信号線８９は、それぞれ信号供給手段８４、８６に接続される。これら信号供給手段８４、８６はそれぞれデータ信号駆動回路８３、アドレス駆動回路８５に接続され、発光ダイオード８７を駆動させる。更に、信号供給手段８４、８６はそれぞれ信号処理手段であるフレームバッファーと信号変調手段である信号発生器を備えており、データ信号駆動回路８３、アドレス駆動回路８５からそれぞれ信号供給手段８４、８６に送信される駆動信号を高周波側に変調し、各単位表示パネルに送信する。このとき、信号供給手段８４、８６を構成する信号発生器は、単位表示パネル毎に設けられており、これら信号発生器を同期させることにより、データ信号線８８とアドレス信号線８９にそれぞれ接続される発光ダイオード８７が、駆動信号に応じてマトリクス駆動され、ＬＥＤディスプレイ全体で画像が表示される。
【００３９】
更に、データ信号やアドレス信号などの駆動信号を一度フレームバッファーに蓄積した後、高い周波数の信号に変調する際に、例えば、垂直方向の走査周波数を１ＧＨｚに変換し、水平方向の画素数を５０個とすると、アドレス信号の周波数が高いことにより、各画素はデータ信号が送信されれば発光可能な待機状態にあることになり、水平方向について、各画素は１画素当たり１／５０秒、つまり１サブ画素当り１／１５０秒に近い発光時間を実現することもできる。この発光時間は、画像表示装置の垂直水平方向で共通のデータ信号線、アドレス信号線を用いる通常のパッシブマトリクス方式の駆動方法で同数の画素を駆動する場合と比較して、１サブ画素当りで、約１５０倍の発光時間となる。従って、大画面化、画素密度の増加に伴い１画素当りの発光時間が短くなることによる画像表示装置全体の輝度の低下を防止することが可能となる。更に、画像表示装置全体で、データ信号線とアドレス信号線がｘ方向、ｙ方向に配設され、各画素がそれぞれｘ方向、ｙ方向について共通のデータ信号線、アドレス信号線に接続される場合に比べて、単位表示パネル毎に個別にデータ信号線、アドレス信号線が接続され、各単位表示パネル内でパッシブマトリクス方式の如き駆動方法で発光ダイオードが点灯されるとともに、単位表示パネル毎に送信される信号を信号発生器間で同期させることにより画像表示装置全体として画像表示を行うことが可能となる。
【００４０】
よって、画像を表示させるための駆動信号が単位表示パネル毎に送信されるため、画像表示装置全体をパッシブマトリクス方式で駆動させる場合より画素を構成する発光ダイオードの発光時間を長く保持することが可能となり、画像表示装置全体の輝度を高めることができる。従って、見かけ上独立したパネルを複数個張り合わせて１つの画像表示装置を形成することができ、パッシブマトリクス方式で駆動される画像表示装置において、輝度が低いという欠点を補うことが可能となる。更に、アクティブマトリクス方式による発光素子の駆動方法のように、電荷を保持する電荷保持回路を必要としないため、製造プロセス上も有利であり、部品点数を増やすことなく高画質を実現することもできる。
【００４１】
続いて、単位表示パネルを配置して構成され、アクティブマトリクス方式で駆動される画像表示装置について説明する。発光素子は信号供給手段と単位表示パネルが個別に接続され、これら単位表示パネルを同期させながらアクティブマトリクス方式により駆動され、画像表示が行われる。
【００４２】
図１０に単位表示パネルの要部のレイアウト図の一例を示す。図１０のレイアウト図では、本例の画像表示装置の内の１画素分（Ｖ１×Ｈ１）の構造が示されている。ユニット基板９１上に水平方向に延在されるアドレス信号線ＡＤＤと２本の電源線ＰＷ１、ＰＷ２が所要の間隔で形成されている。これらアドレス信号線ＡＤＤと２本の電源線ＰＷ１、ＰＷ２は、導電性の優れた金属材料層や半導体材料層と金属材料層の組み合わせ等によって形成され、その線幅は後述する発光ダイオードや電流保持回路のチップのサイズに比較して広い幅とされる。また、同じ画素内には垂直方向に発光ダイオード毎のデータ信号線ＤＬＲ、ＤＬＧ、ＤＬＢが所要の間隔で形成されており、これらデータ信号線ＤＬＲ、ＤＬＧ、ＤＬＢもアドレス信号線ＡＤＤと同様の構造、寸法で形成されている。更に、これらアドレス信号線、電源線、及びデータ信号線はそれぞれ単位表示パネルの裏面に取り出され、裏面に形成される接続端子と接続される。
【００４３】
発光ダイオードＤＲ、ＤＧ、ＤＢはマトリクス状に配置され、所要の画像信号に応じた発光を行う。各画素において、赤色発光ダイオードＤＲ、緑色発光ダイオードＤＧ、及び青色発光ダイオードＤＢの順にダイオードが配列されており、これら３つの発光ダイオードが１つの画素を構成する。各発光ダイオードＤＲ、ＤＧ、ＤＢはそれぞれ略正方形の微小なサイズを以って実装されたチップ構造を有していることは前述の実施形態と同様である。各発光ダイオードＤＲ、ＤＧ、ＤＢは電源線ＰＷ１と電源線ＰＷ２の間の領域に実装される。
【００４４】
また、各発光ダイオードＤＲ、ＤＧ、ＤＢに電気的に接続され各発光ダイオードＤＲ、ＤＧ、ＤＢを流れる電流を保持するための電流保持回路ＰＴが発光ダイオード毎に形成されている。この電流保持回路ＰＴは、トランジスタと付加容量からなる回路であり、特に、電流保持回路ＰＴは個別のチップ状に形成され微小なサイズを以ってユニット基板９１に実装されたものである。各発光ダイオードＤＲ、ＤＧ、ＤＢと電流保持回路ＰＴを形成した電流保持回路チップは略同一のチップサイズを有しており、略同一のチップサイズとすることにより、同じ実装工程での実装が可能となり、製造工程を容易に実現することができる。これら各電流保持回路ＰＴは電源線ＰＷ１とアドレス信号線ＡＤＤの間の領域に形成される。
【００４５】
各発光ダイオードＤＲ、ＤＧ、ＤＢと電流保持回路ＰＴの間及び各信号線ＤＬＲ、ＤＬＧ、ＤＬＢやアドレス信号線ＡＤＤ、電源線ＰＷ１、ＰＷ２の間には、配線の必要から配線部９２〜９６が形成される。配線部９２は垂直方向を長手方向とする帯状小領域であり、発光ダイオードと電源線ＰＷ２を接続する。配線部９３は垂直方向を長手方向とする帯状領域であり、発光ダイオードＤＲ、ＤＧ、ＤＢとその発光ダイオードＤＲ、ＤＧ、ＤＢを駆動する電流を保持するための電流保持回路ＰＴの間をそれぞれ接続する。これら各配線部９２〜９６は各発光ダイオードＤＲ、ＤＧ、ＤＢを微小なサイズを以って配線用基板に実装する場合に、後述するような接合用導電材を載置することができるものであり、電流保持回路ＰＴのチップを同様に微小なサイズを以って配線用基板に実装する場合にも接合用導電材を載置することができるものである。
【００４６】
図１１は、図１０に示す単位表示パネルの回路図である。図中、ダイオード１０１が発光ダイオードであり、画像信号に応じて所定の色の発光を行う。尚、ダイオード１０１は赤、緑、青の３色であり、水平方向で並ぶ３つのダイオード１０１が１つの画素を構成しているが、図１１の回路図中は説明を簡素化するために色を区別せずに示している。このダイオード１０１に接続されたトランジスタ１０２、１０３と付加容量１０４が電流保持回路を構成する。電源線ＰＷ１と電源線ＰＷ２の間でダイオード１０１と直列にトランジスタ１０２が接続され、トランジスタ１０２がオン状態の場合に限り、ダイオード１０１は発光する。電源線ＰＷ１と電源線ＰＷ２の一方は接地電圧を供給し他方は電源電圧を供給する。このトランジスタ１０２のゲートには付加容量１０４の一方の端子とスイッチングトランジスタとして機能するトランジスタ１０３のソース・ドレイン領域の一方が接続する。トランジスタ１０３の他方のソース・ドレイン領域は画像信号が供給されるデータ信号線ＤＬに接続され、当該トランジスタ１０３のゲートは水平方向に延在するアドレス信号線ＡＤＤに接続される。
【００４７】
アドレス信号線ＡＤＤはシフトレジスタ回路１０６によって選択的にレベルが切り替えられる構造となっており、例えば複数のアドレス信号線の一本だけが高レベルにシフトして、その水平アドレスが選択されたことになる。シフトレジスタ回路１０６は、アドレス信号を送信する信号供給手段１０８に接続されており、信号供給手段１０８は信号処理手段１３０と信号変調手段１３１により構成される。信号処理手段１３０は、例えば、フレームバッファーなどのメモリーアレイであり、信号処理手段１３０に入力されるアドレス信号を単位表示パネル毎に分割して蓄積する機能を有する。また、信号変調手段１３１は、フレームバッファーから単位表示パネル毎に送信されるアドレス信号を変調し、単位表示パネルに送信する信号発生器である。信号変調手段１３１は単位表示パネルとそれぞれ個別に接続され、変調前のアドレス信号に比べて高周波側にアドレス信号を変調することにより、発光ダイオードの如き入力信号に対して即応性の高い素子に対しては、その発光を保持することが可能となる。このとき、駆動信号であるアドレス信号は各信号発生器で同期させながら各単位表示パネルに送信される。
【００４８】
データ信号線ＤＬは画像（映像）信号を各発光ダイオード１０１に伝えるための配線であり、各発光ダイオード１０１の一つに対して一本のデータ信号線ＤＬが対応する。アドレス信号線ＡＤＤはシフトレジスタ回路１０６により選択的にレベルシフトされるが、データ信号線ＤＬはシフトレジスタ・トランスファゲート回路１０５により走査され、選択されたデータ信号線ＤＬにはシフトレジスタ・トランスファゲート回路１０５を介してデータ信号（画像信号）は供給される。シフトレジスタ・トランスファゲート回路１０５は、信号供給手段１０７に接続されており、信号供給手段１０７は信号処理手段１３２と信号変調手段１３３により構成される。信号処理手段１３２は、例えば、フレームバッファーなどのメモリーアレイであり、信号処理手段１３２に入力されるデータ信号を単位表示パネル毎に分割して蓄積する機能を有する。また、信号変調手段１３３は、フレームバッファーから単位表示パネル毎に送信されるデータ信号を変調し、対応する単位表示パネルに送信する信号発生器であり、変調前のデータ信号に比べて高周波側にデータ信号を変調することにより、発光ダイオードの如き即応性の高い素子に対しては、その発光を保持することが可能となる。このとき、駆動信号であるデータ信号は信号発生器で同期させながら各単位表示パネルに送信される。
【００４９】
トランジスタ１０２のゲートに接続され且つトランジスタ１０３の一方のソース・ドレイン領域に接続する付加容量１０４は、トランジスタ１０２のゲートの電位をトランジスタ１０３がオフ状態となった際に維持する機能を有する。このように、トランジスタ１０３がオフとなった場合でも、ゲート電圧を維持できるために、発光ダイオード１０１を駆動し続けることが可能である。更に、各単位表示パネルに入力される駆動信号が高周波側に変調されることと併せて、発光素子の発光時間を延ばすことが可能となる。
【００５０】
ここで、簡単に動作について説明する。水平のアドレス信号線ＡＤＤに信号供給手段１０８に接続されたシフトレジスタ回路１０６から電圧を印加してアドレスを選択すると、その選択されたラインのスイッチングトランジスタ１０３がオン状態となる。その時に、垂直方向に延在されているデータ信号線ＤＬにデータ信号（画像信号）を電圧として加えると、その電圧がスイッチングトランジスタ１０３を介してトランジスタ１０２のゲートに到達するが、同時に付加容量１０４にもそのゲート電圧が蓄電され、その付加容量１０４がトランジスタ１０２のゲート電圧を維持するように動作する。水平方向のアドレス信号線ＡＤＤの選択動作が停止した後、即ち、選択にかかるアドレス信号線の電位が再び低レベルに遷移して、トランジスタ１０３がオフ状態となった場合でも、付加容量１０４はゲート電圧を維持し続け、原理的には次のアドレス選択が生ずるまで、付加容量１０４は選択時のゲート電圧を保持し続けることが可能である。この付加容量１０４がゲート電圧を維持している間は、トランジスタ１０２はその維持された電圧に応じた動作を行い、発光ダイオード１０１に駆動電流を流し続けることも可能である。このように発光ダイオード１０１の発光している時間を長く保つことで、個々の発光ダイオードの駆動電流を低くしても画像全体の輝度を高くすることができる。更に、信号変調手段１３１、１３３から送信されるデータ信号及びアドレス信号などの駆動信号を同期させながら各単位表示パネルを駆動することにより、輝度の高い画像表示を行うことが可能となる。アドレス信号線とデータ信号線を共用して各画素を駆動するＬＥＤディスプレイに比べて、上述のように単位表示パネル毎に個別に送信されるアドレス信号とデータ信号を同期させながら各単位表示パネルを駆動することにより、画像表示装置の輝度を高めることができることを本願発明者は確認している。
【００５１】
次に、液晶が封止された単位表示パネルを配置して形成されるＬＣＤディスプレイについて説明する。図１２にＬＣＤディスプレイの回路図を示す。また、図１２は、単位表示パネル１枚の回路図を示しており、ＬＣＤディスプレイはこれら単位表示パネルをマトリクス状に配置して形成されるものである。
【００５２】
図中の単位表示パネルは、赤色、緑色及び青色の３色のカラーフィルターを備え、これら３色のカラーフィルターの何れか一つを備えるサブ画素毎にスイッチング素子を設けることにより、アクティブマトリクス方式で駆動される。従って、これらサブ画素を一組として一画素が形成され、バックライトから発せられた光が液晶により偏光され、カラーフィルターを透過することによりフルカラーの画像表示が行われる。
【００５３】
液晶が封止される単位表示パネルには、液晶の配向を制御するためのデータ信号線１１５とアドレス信号線１１４がマトリクス状に形成されている。データ信号線１１５は信号供給手段１１６を介してデータ信号駆動回路１１７からデータ信号が送信される。また、アドレス信号線１１４は信号供給手段１１８を介してアドレス信号駆動回路１１９からアドレス信号が送信される。信号供給手段１１６、１１８は、それぞれ信号処理手段であるフレームバッファーと、信号変調手段である信号発生器から構成されている。ここで、信号発生器は単位表示パネル毎に設けられており、これら信号発生器と単位表示パネルはそれぞれ個別に接続されている。データ信号とアドレス信号は、信号供給手段１１６、１１８をそれぞれ構成するフレームバッファーで単位表示パネル毎に分割された後、蓄積され、各信号発生器に送信される。信号発生器では、データ信号とアドレス信号を液晶の配向制御が十分可能な程度の低周波数の信号に変調され、各単位表示パネルに送信される。
【００５４】
また、スイッチング素子である薄膜トラジスタ（ＴＦＴ）１１３のゲートにはアドレス信号線１１４が接続され、データ信号線１１５にはドレインが接続される。また、ＴＦＴ１１３のソースには、付加容量１１２と液晶１１１が並列に接続される。従って、変調後に各単位表示パネルに送信された駆動信号であるアドレス信号とデータ信号は、それぞれアドレス信号線１１４、データ信号線１１５に入力され、各画素を駆動することになる。このとき、各単位表示パネルは、個別にアクティブマトリクス方式により駆動されるとともに、各単位表示パネルに対応する信号発生器を同期させることにより、画像表示装置全体で画像表示を行うことが可能となる。また、信号発生器において、駆動信号が低周波数側に変調された後、各単位表示パネルに送信されることにより、画素を構成する液晶が配向を切り替えるのに十分追従することができ、液晶の配向切り替えが追従できないことに起因する輝度むらを抑制することも可能となる。
【００５５】
【発明の効果】
本発明の画像表示装置の駆動方法及び画像表示装置によれば、画像表示装置を形成する単位表示パネルに個別に駆動信号を供給することにより、マトリクス駆動される画素の制御性を高めることができる。特に、パッシブマトリクス方式により駆動される場合には、アクティブマトリクス方式のように各画素に電荷保持回路を設けることなく、簡単な回路で高画質を実現することができる。
【００５６】
従って、発光ダイオードを配置して形成されるＬＥＤディスプレイの場合、画像表示装置を単位表示パネルで形成しない場合と比べて発光ダイオードの発光時間を長くすることができ、画像表示装置全体の輝度を高めることが可能になる。更に、単位表示パネルに送信する駆動信号の周波数を高周波側に変調することにより、発光ダイオードの高速応答性を利用して、輝度むらの補正や高輝度化が可能となる。
【００５７】
一方、ＬＣＤディスプレイのように液晶の応答性が低い画像表示装置では、駆動信号の周波数を低周波側に変調し、輝度むらを補正することが可能になる。よって、ＬＥＤディスプレイやＬＣＤディスプレイの如きマトリクス駆動される画像表示装置では、各単位表示パネルが独立して信号供給手段に接続し、これら単位表示パネルを同期させながら駆動することにより、高画質の画像表示装置を提供することができる。
【００５８】
また、単位表示パネルを配置して画像表示装置を形成した際の問題点である各単位表示パネル間の接続についても、単位表示パネルを駆動する信号供給手段と個別に単位表示パネルを接続することにより、煩雑な配線を配線用基板や単位表示パネルに形成することが不要となる。従って、高精度のアライメントを行うことなく、駆動回路と単位表示パネルの電気的接続を行うことができる。また、単位表示パネルのうちの１つに不良が発生した場合には、当該単位表示パネルを交換することもでき、画像表示装置の修理が容易となる。
【図面の簡単な説明】
【図１】本発明の画像表示装置の駆動方法を示すブロックダイアグラムである。
【図２】本発明の画像表示装置の構成を示すブロック図である。
【図３】本発明の画像表示装置の単位表示パネルの平面構造を示した図であり、（ａ）は発光面（表面）の構造図、（ｂ）は裏面の構造図である。
【図４】本発明の画像表示装置の単位表示パネルの断面構造を示した図である。
【図５】本発明の画像表示装置の単位表示パネルの要部レイアウト図である。
【図６】本発明の画像表示装置に用いられる発光ダイオードの一例であって、（ａ）は断面構造図、（ｂ）は平面構造図である。
【図７】本発明の画像表示装置に用いられる樹脂形成チップの斜視図である。
【図８】本発明の画像表示装置に用いられる樹脂形成チップの平面図である。
【図９】本発明のパッシブマトリクス方式で駆動されるＬＥＤディスプレイにおける単位表示パネルの回路図である。
【図１０】本発明のアクティブマトリクス方式で駆動されるＬＥＤディスプレイにおける単位表示パネルの要部レイアウト図である。
【図１１】本発明のアクティブマトリクス方式で駆動されるＬＥＤディスプレイにおける単位表示パネルの回路図である。
【図１２】本発明のＬＣＤディスプレイの単位表示パネルの回路図である。
【符号の説明】
１    駆動回路
２、２８、２９、８４、１０７、１０８１１６、１１８    信号供給手段
３、１３０、１３２    信号処理手段
４、１３１、１３３    信号変調手段
５、２１、３１    単位表示パネル
２２、８３、１１７    データ信号駆動回路
２３、８５、１１９    アドレス信号駆動回路
２４、２５    フレームバッファー
２６，２７    信号発生器
３２、９１    ユニット基板
３３ａ、８８、１１５    データ信号線
３３ｂ、３４ｂ、４５ｂ    接続端子
３４ａ、８９、１１４  アドレス信号線
４５ａ    配線
４６    コンタクトホール
５１、５２、７６，７７    電極パッド
６１    下地成長層
７２    発光素子
７３    樹脂
７４    樹脂形成チップ
８７    発光ダイオード
９２、９３    配線部
１０１    発光ダイオード
１０２、１０３    トランジスタ
１０４、１１２    付加容量
１０５    シフトレジスタ・トランスファゲート回路
１０６    シフトレジスタ回路
１１１    液晶
【図１】
0003928413.tif 000002
【図２】
0003928413.tif 000003
【図３】
0003928413.tif 000004
【図４】
0003928413.tif 000005
【図５】
0003928413.tif 000006
【図６】
0003928413.tif 000007
【図７】
0003928413.tif 000008
【図８】
0003928413.tif 000009
【図９】
0003928413.tif 000010
【図１０】
0003928413.tif 000011
【図１１】
0003928413.tif 000012
【図１２】
0003928413.tif 000013